(57)【要約】【課題】端子台が受けるボルト部材の締結トルクによるバスバーからの荷重を低減することができる端子台ユニットを提供する。【解決手段】端子台ユニット３は、コイル１２２のコイル接続端子１２４Ｕに電気的に接続される第１端子部４１０Ｕを有するバスバー４０Ｕと、収容壁３１３に囲まれ第１端子部４１０Ｕを収容する収容部３１０Ｕ及び四角ナット７０Ｕを有する端子台３０と、コイル接続端子１２４Ｕと第１端子部４１０Ｕとを挟んで四角ナット７０Ｕに締結されるボルト部材６０Ｕと、を備える。第１端子部４１０Ｕは、ボルト部材６０Ｕを四角ナット７０Ｕに締結する際に、収容壁３１３と当接する当接点Ｃを有し、当接点Ｃは、ボルト部材６０Ｕの回転軸方向から見て、ボルト部材６０Ｕの回転軸心ＦＡからの距離が最も長い領域Ｓに位置する。【選択図】図４
2020027771.tif 000002
【特許請求の範囲】
【請求項１】
導電部材の接続端子に電気的に接続される端子部を有するバスバーと、
収容壁に囲まれ前記端子部を収容する収容部と、締結部と、を有する端子台と、
前記接続端子と前記端子部とを挟んで前記締結部に締結されるボルト部材と、を備える端子台ユニットであって、
前記端子部は、前記ボルト部材を前記締結部に締結する際に、前記収容壁と当接する当接点を有し、
前記当接点は、前記ボルト部材の回転軸方向から見て、前記ボルト部材の回転軸心からの距離が最も長い領域に位置する、端子台ユニット。
【請求項２】
請求項１に記載の端子台ユニットであって、
前記当接点を中心として、前記回転軸心と前記当接点とを結んだ仮想線と前記収容壁との成す角が、４５度より大きく９０度未満である、端子台ユニット。
【請求項３】
請求項１または２に記載の端子台ユニットであって、
前記端子部は、前記当接点を除く端面と前記収容壁との間に隙間が形成される、端子台ユニット。
【請求項４】
請求項１または２に記載の端子台ユニットであって、
前記端子部は、前記当接点を含む一端面が前記収容壁と当接する、端子台ユニット。
【請求項５】
請求項４に記載の端子台ユニットであって、
前記端子部は、前記一端面を除く端面と前記収容壁との間に隙間が形成される、端子台ユニット。
【請求項６】
請求項１〜５のいずれか一項に記載の端子台ユニットであって、
前記締結部は、ナット部材であり、
前記端子台には、前記収容部の底面に前記ナット部材を収容するナット収容部が凹設される、端子台ユニット。
【請求項７】
請求項６に記載の端子台ユニットであって、
前記バスバーと前記底面との間には、隙間が設けられる、端子台ユニット。
【請求項８】
請求項１〜７のいずれか一項に記載の端子台ユニットであって、
前記接続端子は、ステータコアに取り付けられるコイルの端子であり、
前記バスバーは、複数設けられ、
前記端子台ユニットは、前記複数のバスバーをまとめて覆うカバー部材をさらに備える、端子台ユニット。
【発明の詳細な説明】
【技術分野】
【０００１】
本発明は、回転電機等に用いられる端子台ユニットに関する。
【背景技術】
【０００２】
従来から、電動車両などには、駆動源として回転電機が搭載されている。そして、回転電機と回転電機に電力を供給するための電力変換装置とを電気的に接続する部品として、バスバーを有する端子台ユニットを用いることが知られている。
【０００３】
例えば、特許文献１には、電気自動車のモータ電源が接続される部品等に用いて好適な端子台ユニットが開示されている。特許文献１の端子台ユニットは、導電路に配設された接続端子と電気的に接続される端子部が少なくとも２ヶ所設けられたバスバーと、接続端子をバスバーの端子部に締め付けて電気的に接続させる四角ナットを保持する端子台と、接続端子とバスバーの端子部とを挟んで四角ナットに締結されるボルト部材と、を備え、端子台はバスバーを収容する収容溝を有している。
【先行技術文献】
【特許文献】
【０００４】
【特許文献１】特開２００４−３２７１８４号公報
【発明の概要】
【発明が解決しようとする課題】
【０００５】
しかしながら、特許文献１の端子台ユニットは、接続端子とバスバーの端子部とをボルト部材で締結する際、バスバーが回転し、端子台の収容溝上端の側壁部と当接する。したがって、端子台は、ボルト部材の締結トルクによるバスバーからの荷重を、肉薄部であるの収容溝上端の側壁部で受けることになるため、ボルト部材の締結トルクが大きい場合、端子台が破損する虞があった。
【０００６】
本発明は、端子台が受けるボルト部材の締結トルクによるバスバーからの荷重を低減することができる端子台ユニットを提供する。
【課題を解決するための手段】
【０００７】
本発明は、
導電部材の接続端子に電気的に接続される端子部を有するバスバーと、
収容壁に囲まれ前記端子部を収容する収容部と、締結部と、を有する端子台と、
前記接続端子と前記端子部とを挟んで前記締結部に締結されるボルト部材と、を備える端子台ユニットであって、
前記端子部は、前記ボルト部材を前記締結部に締結する際に、前記収容壁と当接する当接点を有し、
前記当接点は、前記ボルト部材の回転軸方向から見て、前記ボルト部材の回転軸心からの距離が最も長い領域に位置する。
【発明の効果】
【０００８】
本発明によれば、てこの原理により、端子台が受けるボルト部材の締結トルクによるバスバーからの荷重を低減することができる。
【図面の簡単な説明】
【０００９】
【図１】本発明の一実施形態の端子台ユニットが搭載される回転電機の全体構成を示す斜視図である。
【図２】本発明の一実施形態の端子台ユニットの分解斜視図である。
【図３】図１の回転電機の端子台ユニット周辺の拡大図である。
【図４】図３の要部拡大図である。
【図５】図３のＡ−Ａ断面図である。
【発明を実施するための形態】
【００１０】
以下、本発明の端子台ユニットの一実施形態を、添付図面に基づいて説明する。
【００１１】
まず、本発明の一実施形態の端子台ユニットが搭載される回転電機の全体構成を、図１に基づいて説明する。図１に示す回転電機１は、例えばハイブリッド自動車や電気自動車のような車両に搭載される走行用モータである。但し、本発明の構成は、走行用モータに限らず、発電用モータやその他用途のモータ、または車両用以外の回転電機（発電機を含む）にも適用可能である。
【００１２】
なお、本明細書では、説明を簡単にするために、回転電機１の前後左右上下を図中に示すように定義し、前方向をＦｒ、後方向をＲｒ、右方向をＲ、左方向をＬ、上方向をＵ、下方向をＤ、として示す。ただし、図中に示す方向は、回転電機１が搭載される車両等の方向とは無関係である。
【００１３】
図１に示すように、回転電機１は、ステータ１２と、ロータ１３と、ステータ１２及びロータ１３を収容するケース１１と、を備えている。ロータ１３は、円環形状を有し、シャフト１４に外嵌される。ステータ１２は、ステータコア１２１と、ステータコア１２１に装着されたコイル１２２と、を備えている。ケース１１の内部には、ステータ１２及びロータ１３に加えて、ステータ１２の上方にコイル１２２に電力を供給する端子台ユニット３が設けられている。
【００１４】
ステータコア１２１は、ロータ１３を径方向の外側から取り囲む筒状に形成されており、ケース１１にボルト等の締結部材によって固定されている。
【００１５】
コイル１２２は、Ｕ相、Ｖ相、Ｗ相により構成された３相コイルである。コイル１２２は、セグメントコイルでもよく、連続した巻線でもよい。
【００１６】
図２に示すように、端子台ユニット３は、端子台３０と、３本のバスバー４０Ｕ、４０Ｖ、４０Ｗと、３本のバスバー４０Ｕ、４０Ｖ、４０Ｗをまとめて覆うカバー部材５０と、ボルト部材６０Ｕ、６０Ｖ、６０Ｗと、を備える。
【００１７】
３本のバスバー４０Ｕ、４０Ｖ、４０Ｗは、前後方向に延びる帯状の延在部４００Ｕ、４００Ｖ、４００Ｗと、延在部４００Ｕ、４００Ｖ、４００Ｗの後端で屈曲して上方向に延びる第１首部４０１Ｕ、４０１Ｖ、４０１Ｗと、第１首部４０１Ｕ、４０１Ｖ、４０１Ｗの上端と接続し、前後方向と略垂直な平面を有する第１端子部４１０Ｕ、４１０Ｖ、４１０Ｗと、延在部４００Ｕ、４００Ｖ、４００Ｗの前端で屈曲して下方向に延びる第２首部４０２Ｕ、４０２Ｖ、４０２Ｗと、第２首部４０２Ｕ、４０２Ｖ、４０２Ｗの下端と接続し、前後方向と略垂直な平面を有する第２端子部４２０Ｕ、４２０Ｖ、４２０Ｗと、を有する。第１端子部４１０Ｕ、４１０Ｖ、４１０Ｗには、それぞれ前後方向に貫通する第１ボルト孔４１１Ｕ、４１１Ｖ、４１１Ｗが設けられている。第２端子部４２０Ｕ、４２０Ｖ、４２０Ｗには、それぞれ前後方向に貫通する第２ボルト孔４２１Ｕ、４２１Ｖ、４２１Ｗが設けられている。
【００１８】
端子台３０は、端子台本体３００と、３つの四角ナット７０Ｕ、７０Ｖ、７０Ｗと、を備える。３つの四角ナット７０Ｕ、７０Ｖ、７０Ｗには、それぞれ前後方向に貫通する雌ねじ部７１Ｕ、７１Ｖ、７１Ｗが設けられている。
【００１９】
端子台本体３００は、前方に窪んだ形状の収容部３１０Ｕ、３１０Ｖ、３１０Ｗと、端子台本体３００を回転電機１のケース１１に固定する固定部３２０と、カバー部材５０を保持する保持部３３０と、を有する。
【００２０】
前方に窪んだ形状の収容部３１０Ｕ、３１０Ｖ、３１０Ｗは、左からこの順で略水平方向に並んで配置されている。収容部３１０Ｕ、３１０Ｖ、３１０Ｗは、それぞれ第１端子部４１０Ｕ、４１０Ｖ、４１０Ｗの大きさよりも大きく、第１端子部４１０Ｕ、４１０Ｖ、４１０Ｗをそれぞれ収容する。収容部３１０Ｕ、３１０Ｖ、３１０Ｗの底面３１１Ｕ、３１１Ｖ、３１１Ｗは、前後方向と略垂直な面となっている。底面３１１Ｕ、３１１Ｖ、３１１Ｗには、さらに前方に窪んだ形状のナット収容部３１２Ｕ、３１２Ｖ、３１２Ｗが凹設されている。ナット収容部３１２Ｕ、３１２Ｖ、３１２Ｗは、それぞれ四角ナット７０Ｕ、７０Ｖ、７０Ｗの大きさよりもわずかに大きく、四角ナット７０Ｕ、７０Ｖ、７０Ｗをそれぞれ収容する。
【００２１】
これにより、インサート成形、圧入、熱溶着、超音波溶着、あるいは加締め、等によらず、四角ナット７０Ｕ、７０Ｖ、７０Ｗを端子台本体３００に固定できるので、製作コストを低減できる。
【００２２】
固定部３２０は、端子台本体３００の左右に１つずつ設けられており、回転電機１のケース１１に向かって突出する突出部３２１と、締結孔３２２と、を有する。そして、突出部３２１が回転電機１のケース１１と当接し、締結孔３２２にボルト（図示せず）が締結されることによって、端子台本体３００は、回転電機１のケース１１に固定されている。
【００２３】
保持部３３０は、端子台本体３００の収容部３１０Ｕ、３１０Ｖ、３１０Ｗの裏側から前方に延びる略平板形状を有し、上下方向に挿通する一対の挿通孔３３１ａ、３３１ｂが設けられている。
【００２４】
カバー部材５０は、端子台本体３００の前方に配置されている。そして、３本のバスバー４０Ｕ、４０Ｖ、４０Ｗの延在部４００Ｕ、４００Ｖ、４００Ｗを下方から覆うロアカバー部５０Ｌと、上方から覆うアッパーカバー部５０Ｕと、を有する。
【００２５】
ロアカバー部５０Ｌの後端側には、上方に延びる一対の係合爪５１ａ、５１ｂが設けられている。アッパーカバー部５０Ｕの後端側には、ロアカバー部５０Ｌの一対の係合爪５１ａ、５１ｂと係合する一対の係合孔５２ａ、５２ｂが設けられている。そして、ロアカバー部５０Ｌに設けられた一対の係合爪５１ａ、５１ｂが、端子台本体３００の保持部３３０の一対の挿通孔３３１ａ、３３１ｂを通って、アッパーカバー部５０Ｕに設けられた一対の係合孔５２ａ、５２ｂと係合することによって、ロアカバー部５０Ｌ及びアッパーカバー部５０Ｕは、端子台本体３００に保持されている。
【００２６】
これにより、３本のバスバー４０Ｕ、４０Ｖ、４０Ｗは、延在部４００Ｕ、４００Ｖ、４００Ｗがカバー部材５０で覆われるため、バスバー４０Ｕ、４０Ｖ、４０Ｗを前後方向、左右方向、及び上下方向に相対的に移動させても第１端子部４１０Ｕ、４１０Ｖ、４１０Ｗ及び第２首部４０２Ｕ、４０２Ｖ、４０２Ｗがカバー部材５０に引っ掛かった状態となり、カバー部材５０から抜け落ちることがない。したがって、組み付けの際、カバー部材５０により、３本のバスバー４０Ｕ、４０Ｖ、４０Ｗを一体として扱うことができる。
【００２７】
ボルト部材６０Ｕ、６０Ｖ、６０Ｗは、それぞれ第１ボルト孔４１１Ｕ、４１１Ｖ、４１１Ｗを通って、四角ナット７０Ｕ、７０Ｖ、７０Ｗに締結される。これにより、第１端子部４１０Ｕ、４１０Ｖ、４１０Ｗは、端子台本体３００の収容部３１０Ｕ、３１０Ｖ、３１０Ｗに収容された状態で、端子台本体３００に固定されている。
【００２８】
図３に示すように、Ｕ相、Ｖ相、Ｗ相のコイル１２２は、それぞれ径方向外側に各々延びるコイル終端部１２２Ｕ、１２２Ｖ、１２２Ｗを有する。コイル終端部１２２Ｕ、１２２Ｖ、１２２Ｗには、回転電機１の回転軸ＣＬと略垂直な平面を有するコイル接続端子１２４Ｕ、１２４Ｖ、１２４Ｗの接続部１２３Ｕ、１２３Ｖ、１２３Ｗが接続される。コイル接続端子１２４Ｕ、１２４Ｖ、１２４Ｗは、ステータ１２の上方で、左からこの順で略水平方向に並んで配置されている。
【００２９】
コイル接続端子１２４Ｕ、１２４Ｖ、１２４Ｗは、それぞれ端子台ユニット３の第１端子部４１０Ｕ、４１０Ｖ、４１０Ｗと前面で当接するように前後方向で重なって配置されている。また、コイル接続端子１２４Ｕ、１２４Ｖ、１２４Ｗは、それぞれ前後方向に貫通するボルト孔１２５Ｕ、１２５Ｖ、１２５Ｗを有し、ボルト孔１２５Ｕ、１２５Ｖ、１２５Ｗには、端子台ユニット３のボルト部材６０Ｕ、６０Ｖ、６０Ｗが挿通されている。
【００３０】
したがって、端子台ユニット３のボルト部材６０Ｕ、６０Ｖ、６０Ｗは、それぞれ、コイル接続端子１２４Ｕ、１２４Ｖ、１２４Ｗのボルト孔１２５Ｕ、１２５Ｖ、１２５Ｗ、及び第１端子部４１０Ｕ、４１０Ｖ、４１０Ｗの第１ボルト孔４１１Ｕ、４１１Ｖ、４１１Ｗを通り、コイル接続端子１２４Ｕ、１２４Ｖ、１２４Ｗと第１端子部４１０Ｕ、４１０Ｖ、４１０Ｗとを挟んで四角ナット７０Ｕ、７０Ｖ、７０Ｗに締結される。これにより、コイル接続端子１２４Ｕ、１２４Ｖ、１２４Ｗと第１端子部４１０Ｕ、４１０Ｖ、４１０Ｗとは、それぞれ電気的に接続した状態で、端子台本体３００に固定されている。
【００３１】
図４に示すように、端子台本体３００の収容部３１０Ｕは、上側収容壁３１３Ｔ、右側収容壁３１３Ｒ、下側収容壁３１３Ｂ、左側収容壁３１３Ｌを有する収容壁３１３によって囲まれることによって形成されている。ここで、右側収容壁３１３Ｒは、上下方向に延びる直線形状となっている。
【００３２】
バスバー４０Ｕの第１端子部４１０Ｕは、前後方向に垂直な平板形状であり、左上角部４１２ＬＴ、右上角部４１２ＲＴ、右下角部４１２ＲＢ、左下角部４１２ＬＢの４つの角部４１２を有する。さらに、第１端子部４１０Ｕは、左上角部４１２ＬＴから右上角部４１２ＲＴに延びる上側端面４１３Ｔと、右上角部４１２ＲＴから右下角部４１２ＲＢに延びる右側端面４１３Ｒと、右下角部４１２ＲＢから左下角部４１２ＬＢに延びる下側端面４１３Ｂと、左下角部４１２ＬＢから左上角部４１２ＬＴに延びる左側端面４１３Ｌと、の４つの端面４１３を有する。そして、第１端子部４１０Ｕは、下側端面４１３Ｂで、バスバー４０Ｕの延在部４００Ｕの後端から上方向に延びる第１首部４０１Ｕの上端と接続している。ここで、第１端子部４１０Ｕの右側端面４１３Ｒは、上下方向で収容部３１０Ｕの右側収容壁３１３Ｒと略平行に延びる直線形状となっている。
【００３３】
コイル接続端子１２４Ｕは、バスバー４０Ｕの第１端子部４１０Ｕと重なるように、端子台本体３００の収容部３１０Ｕに収容され、接続部１２３Ｕがコイル終端部１２２Ｕに向かって端子台本体３００の収容部３１０Ｕの左側収容壁３１３Ｌをまたぐように延びている。
【００３４】
さらに、コイル接続端子１２４Ｕのボルト孔１２５Ｕと、バスバー４０Ｕの第１端子部４１０Ｕの第１ボルト孔４１１Ｕとは、前後方向で重なる位置に設けられ、さらに、ナット収容部３１２Ｕ及び四角ナット７０Ｕは、ボルト孔１２５Ｕ及び第１ボルト孔４１１Ｕと、四角ナット７０Ｕの雌ねじ部７１Ｕとが前後方向で重なるように配置される。
【００３５】
そして、ボルト部材６０Ｕは、後方から、ボルト孔１２５Ｕと第１ボルト孔４１１Ｕとをこの順で挿通し、コイル接続端子１２４Ｕと第１端子部４１０Ｕとを挟んで四角ナット７０Ｕの雌ねじ部７１Ｕに締結される。
【００３６】
ここで、ボルト孔１２５Ｕ及び第１ボルト孔４１１Ｕの中心、すなわちボルト部材６０Ｕの回転軸心ＦＡは、左上角部４１２ＬＴと右下角部４１２ＲＢとを結ぶ仮想線Ｌ１と、左下角部４１２ＬＢと右上角部４１２ＲＴとを結ぶ仮想線Ｌ２との交点Ｘとは異なる位置に配置されている。本実施形態においては、ボルト部材６０Ｕの回転軸心ＦＡが交点Ｘよりも左下側に配置されている。
【００３７】
ボルト部材６０Ｕを四角ナット７０Ｕに締結する際、ボルト部材６０Ｕの締結トルクＴによりバスバー４０Ｕは時計回りに回転する。すると、第１端子部４１０Ｕは、ボルト部材６０Ｕの回転軸心ＦＡからの距離が最も長い領域である右上角部４１２ＲＴ周辺の領域Ｓに位置する当接点Ｃで、第１端子部４１０Ｕの収容壁３１３の右側収容壁３１３Ｒと当接する。
【００３８】
これにより、端子台本体３００は、バスバー４０Ｕの第１端子部４１０Ｕの当接点Ｃから、右側収容壁３１３Ｒで、ボルト部材６０Ｕの締結トルクＴによる荷重Ｆを受ける。このとき、当接点Ｃは、ボルト部材６０Ｕの回転軸方向から見て、第１端子部４１０Ｕのうちボルト部材６０Ｕの回転軸心ＦＡからの距離が最も長い領域である右上角部４１２ＲＴ周辺の領域Ｓに位置するので、てこの原理により、ボルト部材６０Ｕの締結トルクＴによる端子台本体３００への荷重Ｆを低減できる。
【００３９】
ここで、ボルト部材６０Ｕの締結トルクＴによる端子台本体３００への最大荷重Ｆｍａｘの右側収容壁３１３Ｒと垂直方向となる右方向への分力Ｆｘは、ボルト部材６０Ｕの回転軸心ＦＡとバスバー４０Ｕの第１端子部４１０Ｕの当接点Ｃとを結ぶ仮想線Ｌ３と、上下方向に延びる直線形状の右側収容壁３１３Ｒとの成す角θと、ボルト部材６０Ｕの回転軸心ＦＡと上下方向に延びる直線形状の右側収容壁３１３Ｒとの距離Ｄとの関係において、Ｆｘ＝（Ｔ／２Ｄ）・ｓｉｎ２θが成り立つ。
【００４０】
そして、仮想線Ｌ３と右側収容壁３１３Ｒとの成す角θは、４５度より大きく９０度未満となっている。より好ましくは、６０度〜７５度程度となっている。
【００４１】
これにより、端子台本体３００の収容部３１０Ｕの大きさを大きくすることなく、収容壁３１３の右側収容壁３１３Ｒがバスバー４０Ｕの回り止めとして機能しつつ、ボルト部材６０Ｕの締結トルクＴによる端子台本体３００への最大荷重Ｆｍａｘの収容壁３１３の右側収容壁３１３Ｒと垂直方向の分力を低減できる。したがって、右側収容壁３１３Ｒの厚さを抑制でき、端子台ユニット３の小型化を図ることができる。
【００４２】
このとき、バスバー４０Ｕの第１端子部４１０Ｕは、当接点Ｃを除く端面４１３と収容壁３１３との間には、隙間ＧＰが形成されている。
【００４３】
これにより、バスバー４０Ｕの第１端子部４１０Ｕは、確実に当接点Ｃで収容壁３１３と当接することとなり、ボルト部材６０Ｕの締結トルクＴによる端子台本体３００への荷重Ｆを確実に低減できる。
【００４４】
なお、ボルト部材６０Ｕを四角ナット７０Ｕに締結する際、バスバー４０Ｕの第１端子部４１０Ｕは、当接点Ｃを含み、上下方向で収容部３１０Ｕの右側収容壁３１３Ｒと略平行に延びる直線形状の第１端子部４１０Ｕの右側端面４１３Ｒが、収容部３１０Ｕの右側収容壁３１３Ｒと当接してもよい。
【００４５】
これにより、端子台本体３００は、バスバー４０Ｕから受けるボルト部材６０Ｕの締結トルクＴによる荷重Ｆを、収容部３１０Ｕの右側収容壁３１３Ｒ全体で分散して受けることができるので、ボルト部材６０Ｕの締結トルクＴによる収容壁３１３の応力集中を緩和できる。
【００４６】
このとき、バスバー４０Ｕの第１端子部４１０Ｕは、右側端面４１３Ｒを除く端面４１３、すなわち上側端面４１３Ｔ、下側端面４１３Ｂ及び左側端面４１３Ｌと、収容壁３１３との間には、隙間ＧＰが形成されている。
【００４７】
これにより、バスバー４０Ｕの第１端子部４１０Ｕは、確実に右側端面４１３Ｒで収容壁３１３と当接することとなり、ボルト部材６０Ｕの締結トルクＴによる端子台本体３００への荷重Ｆを確実に低減できる。
【００４８】
図５に示すように、四角ナット７０Ｕの前後方向の厚さＤ７０は、ナット収容部３１２Ｕの前後方向の深さＤ３１２よりもわずかに大きくなっている。このため、ナット収容部３１２Ｕに収容された四角ナット７０Ｕは、収容部３１０Ｕの底面３１１Ｕからわずかに後方へ突出する。したがって、ボルト部材６０Ｕが、コイル接続端子１２４Ｕと第１端子部４１０Ｕとを挟んで四角ナット７０Ｕに締結された状態において、バスバー４０Ｕの第１首部４０１Ｕと収容部３１０Ｕの底面３１１Ｕとの間には、前後方向の隙間ＧＡが設けられる。
【００４９】
これにより、バスバー４０Ｕや端子台本体３００に製造誤差がある場合であっても、バスバー４０Ｕの第１首部４０１Ｕと収容部３１０Ｕの底面３１１Ｕとの間の前後方向の隙間ＧＡによって製造誤差を吸収できる。したがって、ボルト部材６０Ｕを四角ナット７０Ｕに締結することでバスバー４０Ｕを端子台本体３００に固定する際、歪みやガタつきが発生するのを防止することができる。
【００５０】
なお、前述した実施形態は、適宜、変形、改良、等が可能である。
【００５１】
例えば、バスバー４０Ｕの第１端子部４１０Ｕは、本実施形態の形状に限らず、任意の形状とすることができる。
【００５２】
また、本実施形態では、３本のバスバー４０Ｕ、４０Ｖ、４０Ｗは、左からこの順に並んで配置されているものとしたが、任意の並び順とすることができる。
【００５３】
また、本実施形態では、３本のバスバー４０Ｕ、４０Ｖ、４０Ｗのうち、左側に配置されたバスバー４０Ｕの形状について説明したが、バスバー４０Ｖ、４０Ｗが前述した形状を有していてもよいし、複数のバスバーが同様に前述した形状を有していてもよい。
【００５４】
また、本実施形態では、端子台ユニット３は、ステータ１２の上方に配置されているものとしたが、ステータ１２の外周の任意の位置に配置することができる。
【００５５】
また、本明細書には少なくとも以下の事項が記載されている。なお、括弧内には、上記した実施形態において対応する構成要素等を示しているが、これに限定されるものではない。
【００５６】
（１）  導電部材（コイル１２２）の接続端子（コイル接続端子１２４Ｕ）に電気的に接続される端子部（第１端子部４１０Ｕ）を有するバスバー（バスバー４０Ｕ）と、
収容壁（収容壁３１３）に囲まれ前記端子部を収容する収容部（収容部３１０Ｕ）と、締結部（四角ナット７０Ｕ）と、を有する端子台（端子台３０）と、
前記接続端子と前記端子部とを挟んで前記締結部に締結されるボルト部材（ボルト部材６０Ｕ）と、を備える端子台ユニット（端子台ユニット３）であって、
前記端子部は、前記ボルト部材を前記締結部に締結する際に、前記収容壁と当接する当接点（当接点Ｃ）を有し、
前記当接点は、前記ボルト部材の回転軸方向から見て、前記ボルト部材の回転軸心（回転軸心ＦＡ）からの距離が最も長い領域（領域Ｓ）に位置する、端子台ユニット。
【００５７】
（１）によれば、端子部は、ボルト部材を締結部に締結する際に、収容壁と当接する当接点を有し、端子台は、バスバーの端子部の当接点からボルト部材の締結トルクによる荷重を受ける。当接点は、ボルト部材の回転軸方向から見て、ボルト部材の回転軸心からの距離が最も長い領域に位置するので、てこの原理により、ボルト部材の締結トルクによるバスバーから端子台への荷重を低減することができる。
【００５８】
（２）  （１）に記載の端子台ユニットであって、
前記当接点を中心として、前記回転軸心と前記当接点とを結んだ仮想線（仮想線Ｌ３）と前記収容壁との成す角（成す角θ）が、４５度より大きく９０度未満である、端子台ユニット。
【００５９】
（２）によれば、当接点を中心として、回転軸心と当接点とを結んだ仮想線と収容壁との成す角が、４５度より大きく９０度未満であるので、収容部の大きさを大きくすることなく、収容壁がバスバーの回り止めとして機能しつつ、ボルト部材の締結トルクによって端子台が受ける荷重の収容壁と垂直方向の分力を低減できる。したがって、収容壁の厚さを抑制でき、端子台ユニットの小型化を図ることができる。
【００６０】
（３）  （１）または（２）に記載の端子台ユニットであって、
前記端子部は、前記当接点を除く端面（端面４１３）と前記収容壁との間に隙間（隙間ＧＰ）が形成される、端子台ユニット。
【００６１】
（３）によれば、端子部は、当接点を除く端面と収容壁との間に隙間が形成されるので、端子部は、確実に当接点で収容壁と当接する。これにより、ボルト部材の締結トルクによる端子台への荷重を確実に低減できる。
【００６２】
（４）  （１）または（２）に記載の端子台ユニットであって、
前記端子部は、前記当接点を含む一端面（右側端面４１３Ｒ）が前記収容壁と当接する、端子台ユニット。
【００６３】
（４）によれば、端子部は、当接点を含む一端面が収容壁と当接するので、端子台は、バスバーから受けるボルト部材の締結トルクによる荷重を、収容壁の一端面全体で分散して受けることができる。これにより、ボルト部材の締結トルクによる収容壁の応力集中を緩和できる。
【００６４】
（５）  （４）に記載の端子台ユニットであって、
前記端子部は、前記一端面を除く端面（端面４１３）と前記収容壁との間に隙間（隙間ＧＰ）が形成される、端子台ユニット。
【００６５】
（５）によれば、端子部は、一端面を除く端面と収容壁との間に隙間が形成されるので、端子部は、確実に一端面で収容壁と当接する。これにより、ボルト部材の締結トルクによる端子台への荷重を確実に低減できる。
【００６６】
（６）  （１）〜（５）のいずれかに記載の端子台ユニットであって、
前記締結部は、ナット部材（四角ナット７０Ｕ）であり、
前記端子台には、前記収容部の底面（底面３１１Ｕ）に前記ナット部材を収容するナット収容部（ナット収容部３１２Ｕ）が凹設される、端子台ユニット。
【００６７】
（６）によれば、締結部はナット部材であり、ナット部材は、収容部の底面に凹設されるナット収容部に収容されるので、インサート成形、圧入、熱溶着、超音波溶着、あるいは加締め、等によらず、ナット部材を端子台に固定でき、製作コストを低減できる。
【００６８】
（７）  （６）に記載の端子台ユニットであって、
前記バスバーと前記底面との間には、隙間（隙間ＧＡ）が設けられる、端子台ユニット。
【００６９】
（７）によれば、バスバーと底面との間には、隙間が設けられるので、バスバーや端子台に製造誤差がある場合であっても、バスバーと底面との間の隙間によって製造誤差を吸収できる。これにより、ボルト部材を締結部に締結し、バスバーを端子台に固定する際、歪みやガタつきが発生するのを防止することができる。
【００７０】
（８）  （１）〜（７）のいずれかに記載の端子台ユニットであって、
前記接続端子は、ステータコア（ステータコア１２１）に取り付けられるコイル（コイル１２２）の端子（コイル接続端子１２４Ｕ）であり、
前記バスバーは、複数設けられ、
前記端子台ユニットは、前記複数のバスバーをまとめて覆うカバー部材（カバー部材５０）をさらに備える、端子台ユニット。
【００７１】
（８）によれば、バスバーは複数設けられ、端子台ユニットは、複数のバスバーをまとめて覆うカバー部材をさらに備えるので、組み付けの際、カバー部材により、複数のバスバーを一体として扱うことができる。
【符号の説明】
【００７２】
１  回転電機
１２１  ステータコア
１２２  コイル
１２４Ｕ  コイル接続端子
３  端子台ユニット
３０  端子台
３１０Ｕ、３１０Ｖ、３１０Ｗ  収容部
３１１Ｕ、３１１Ｖ、３１１Ｗ  底面
３１２Ｕ、３１２Ｖ、３１２Ｗ  ナット収容部
３１３  収容壁
４０Ｕ、４０Ｖ、４０Ｗ  バスバー
４１０Ｕ、４１０Ｖ、４１０Ｗ  第１端子部
４１３  端面
４１３Ｔ  上側端面
４１３Ｂ  下側端面
４１３Ｌ  左側端面
４１３Ｒ  右側端面
５０  カバー部材
６０Ｕ、６０Ｖ、６０Ｗ  ボルト部材
７０Ｕ、７０Ｖ、７０Ｗ  四角ナット（締結部、ナット部材）
Ｃ  当接点
ＦＡ  回転軸心
Ｓ  領域
ＧＰ  隙間
ＧＡ  隙間
Ｌ１、Ｌ２、Ｌ３  仮想線
θ  成す角
【図１】
2020027771.tif 000003
【図２】
2020027771.tif 000004
【図３】
2020027771.tif 000005
【図４】
2020027771.tif 000006
【図５】
2020027771.tif 000007